(57)【要約】【課題】本発明は放電生成物発生ユニット付き空気調和装置に関するもので、更なる使用感の向上ができるものである。【解決手段】そしてこの目的を達成するために本発明は、放電生成物発生ユニット１５を凹部４１に装着した場合には、給電部１４と受電部２２が電気的に接続することによって、第１の送風手段５と放電生成物発生部３０と第２の送風手段２０とが運転可能であると供に、充電池２３へ充電可能で、放電生成物発生ユニット１５を凹部４１から外した場合には、充電池２３によって、放電生成物発生ユニット１５のみで運転可能である構成としたことにより、更なる使用感の向上ができるものである。【選択図】図４
2014190605.tif 000002
【特許請求の範囲】
【請求項１】
第１の吸込口を設けた略箱形状の第１の本体ケースと、この第１の本体ケースの天面に設けた第１の吹出口と、前記第１の本体ケース内に前記第１の吸込口から前記第１の吹出口へ連通する風路に備えた第１の送風手段と空気調和手段と、前記第１の吹出口の近傍に有する凹形状の凹部と、この凹部内に設けた給電部と、前記凹部に着脱自在に設けた放電生成物発生ユニットと、この放電生成物発生ユニットと前記第１の送風手段と前記空気調和手段とを制御する制御部とからなり、前記放電生成物発生ユニットは、第２の吹出口と第２の吸込口とを設けた略箱形状の第２の本体ケースと、この第２の本体ケース内に前記第２の吸込口から前記第２の吹出口に送風する第２の送風手段と、この第２の送風手段の上流側に備えた放電生成物発生手段と、前記給電部に電気的に接続可能な受電部と、この受電部から充電可能な充電池とからなり、前記放電生成物発生ユニットを前記凹部に装着した場合には、前記給電部と前記受電部が電気的に接続することによって、前記第１の送風手段と前記放電生成物発生手段と前記第２の送風手段とが運転可能であると供に、前記充電池へ充電可能で、前記放電生成物発生ユニットを前記凹部から外した場合には、前記充電池によって、前記放電生成物発生ユニットのみで運転可能であることを特徴とする放電生成物発生ユニット付き空気調和装置。
【請求項２】
前記第２の吸込口は、前記第２の本体ケースの背面側の側面に位置する構成とし、前記放電生成物発生ユニットを前記凹部に装着した場合には、前記第２の吸込口は、前記凹部の外方に位置すると共に、前記第１の本体ケースの前記第１の吹出口側に開口することを特徴とする請求項１に記載の放電生成物発生ユニット付き空気調和装置。
【請求項３】
前記凹部は、前記第１の吹出口の前記第１の本体ケースにおける前面側に位置し、前記第１の吹出口から送風される空気は、前記第１の吹出口から記第１の本体ケースにおける前面側へ傾斜して吹き出すことを特徴とする請求項２に記載の放電生成物発生ユニット付き空気調和装置。
【請求項４】
前記放電生成物発生ユニットを前記凹部に装着した場合には、前記制御部によって前記第２の送風手段の運転を停止することを特徴とする請求項１から３のいずれかに記載の放電生成物発生ユニット付き空気調和装置。
【請求項５】
前記受電部と前記給電部とは、非接触で電気的に接続可能な構成で、前記受電部は、受電側コイルを有し、前記給電部は、給電側コイルを有することを特徴とする請求項１から４のいずれかに記載の放電生成物発生ユニット付き空気調和装置。
【発明の詳細な説明】
【技術分野】
【０００１】
本発明は、高電圧を印加することにより放電生成物を生成し、除菌や脱臭を行なう放電生成物発生ユニットを搭載した空気調和装置である放電生成物発生ユニット付き空気調和装置に関するものである。
【背景技術】
【０００２】
従来のこの種の放電生成物発生ユニット付き空気調和装置の構成は以下のようになっていた。
【０００３】
すなわち、吹出口と吸込口とを設けた本体ケースと、この本体ケース内の吸込口から吹出口への風路に、放電生成物発生ユニットを備えた構成となっていた。（例えば、これに類似する先行文献は下記特許文献１に記載されている。）
【先行技術文献】
【特許文献】
【０００４】
【特許文献１】特開２０１１−０３３３０４号公報
【発明の概要】
【発明が解決しようとする課題】
【０００５】
上記従来例における課題は、更なる使用感の向上ということであった。
【０００６】
すなわち、従来の物においては、放電生成物発生ユニットは、本体ケースから着脱できない構成であった。
【０００７】
そこで本発明は、放電生成物発生ユニットを、本体ケースから取り外して使用可能にし、更なる使用感の向上を目的とするものである。
【課題を解決するための手段】
【０００８】
そしてこの目的を達成するために本発明は、第１の吸込口を設けた略箱形状の第１の本体ケースと、この第１の本体ケースの天面に設けた第１の吹出口と、前記第１の本体ケース内に前記第１の吸込口から前記第１の吹出口へ連通する風路に備えた第１の送風手段と空気調和手段と、前記第１の吹出口の近傍に有する凹形状の凹部と、この凹部内に設けた給電部と、前記凹部に着脱自在に設けた放電生成物発生ユニットと、この放電生成物発生ユニットと前記第１の送風手段と前記空気調和手段とを制御する制御部とからなり、前記放電生成物発生ユニットは、第２の吹出口と第２の吸込口とを設けた略箱形状の第２の本体ケースと、この第２の本体ケース内に前記第２の吸込口から前記第２の吹出口に送風する第２の送風手段と、この第２の送風手段の上流側に備えた放電生成物発生手段と、前記給電部に電気的に接続可能な受電部と、この受電部から充電可能な充電池とからなり、前記放電生成物発生ユニットを前記凹部に装着した場合には、前記給電部と前記受電部が電気的に接続することによって、前記第１の送風手段と前記放電生成物発生部と前記第２の送風手段とが運転可能であると供に、前記充電池へ充電可能で、前記放電生成物発生ユニットを前記凹部から外した場合には、前記充電池によって、前記放電生成物発生ユニットのみで運転可能である構成であり、これにより、初期の目的を達成するものである。
【発明の効果】
【０００９】
以上のように本発明は、第１の吸込口を設けた略箱形状の第１の本体ケースと、この第１の本体ケースの天面に設けた第１の吹出口と、前記第１の本体ケース内に前記第１の吸込口から前記第１の吹出口へ連通する風路に備えた第１の送風手段と空気調和手段と、前記第１の吹出口の近傍に有する凹形状の凹部と、この凹部内に設けた給電部と、前記凹部に着脱自在に設けた放電生成物発生ユニットと、この放電生成物発生ユニットと前記第１の送風手段と前記空気調和手段とを制御する制御部とからなり、前記放電生成物発生ユニットは、第２の吹出口と第２の吸込口とを設けた略箱形状の第２の本体ケースと、この第２の本体ケース内に前記第２の吸込口から前記第２の吹出口に送風する第２の送風手段と、この第２の送風手段の上流側に備えた放電生成物発生手段と、前記給電部に電気的に接続可能な受電部と、この受電部から充電可能な充電池とからなり、前記放電生成物発生ユニットを前記凹部に装着した場合には、前記給電部と前記受電部が電気的に接続することによって、前記第１の送風手段と前記放電生成物発生部と前記第２の送風手段とが運転可能であると供に、前記充電池へ充電可能で、前記放電生成物発生ユニットを前記凹部から外した場合には、前記充電池によって、前記放電生成物発生ユニットのみで運転可能である構成とし、更なる使用感の向上を目的とするものである。
【００１０】
すなわち、放電生成物発生ユニットを凹部に装着した場合には、給電部と受電部が電気的に接続することによって、第１の送風手段と放電生成物発生部と第２の送風手段とが運転可能であると供に、充電池へ充電可能で、放電生成物発生ユニットを凹部から外した場合には、充電池によって、電生成物発生ユニットのみで運転可能である。つまり、放電生成物発生ユニットを凹部に装着した場合と、凹部から外した場合との２種類の使用方法ができるものである。
【００１１】
これらの結果により、放電生成物発生ユニット付き空気調和装置の更なる使用感の向上ができるものである。
【図面の簡単な説明】
【００１２】
【図１】本発明の実施の形態１の放電生成物発生ユニット付き空気調和装置の斜視図
【図２】同放電生成物発生ユニット付き空気調和装置の断面図
【図３】同放電生成物発生ユニット付き空気調和装置の断面図
【図４】同放電生成物発生ユニット付き空気調和装置の凹部の断面図
【図５】同放電生成物発生ユニット付き空気調和装置の凹部の断面図
【図６】同放電生成物発生ユニットの展開図
【図７】同放電生成物発生ユニットの断面図
【図８】同放電生成物発生ユニットの放電生成物発生部の斜視図
【図９】同放電生成物発生ユニットの放電生成物発生部の斜視図
【発明を実施するための形態】
【００１３】
以下、本実施形態を添付図面を用いて説明する。
【００１４】
（実施の形態１）
図１から３に示すように、本実施形態の放電生成物発生ユニット付き空気調和装置１は、
第１の吸込口２と第１の吹出口３とを備えた略箱形状の第１の本体ケース４と、この第１の本体ケース４に、第１の送風手段５と、空気調和手段６、放電生成物発生ユニット１５と、制御部１６とを備えている。
【００１５】
第１の本体ケース４の天面には、横長四角形状の開口である第１の吹出口３を設け、第１の本体ケース４の前面には、第１の吸込口２を備えている。
【００１６】
第１の送風手段５と空気調和手段６とは、第１の本体ケース４内の第１の吸込口２から第１の吹出口３へ連通する風路８に設けられている。
【００１７】
第１の送風手段５は、スクロール形状の第１のケーシング部９と、この第１のケーシング部９に固定された第１のモータ部１０と、この第１のモータ部１０によって回転する遠心送風型の第１の羽根部１１とから形成している。第１のケーシング部９は、上方に開口した第１の吐出口１２を有し、第１の本体ケース４の第１の吸込口２に対向して第１の吸気口１３を備えている。
【００１８】
空気調和手段６の１例は、空気清浄ユニット４０である。空気清浄ユニット４０は、第１の本体ケース４の第１の吸込口２近傍に設けられた空気清浄フィルタである。プリーツ形状の濾材部（図示せず）と、この濾材部を固定する四角筒形状の枠部（図示せず）とから形成している。この濾材部を空気が通過すると、空気中の粉塵等が捕集されるものである。
【００１９】
以上の構成で、まず、第１のモータ部１０によって第１の羽根部１１が回転すると、第１の吸込口２から空気が吸い込まれ、空気清浄ユニット４０を介して、第１の吸気口１３から第１のケーシング部９の内へ送風される。次に、第１のケーシング部９の第１の吐出口１２を介して、第１の本体ケース４の天面の第１の吹出口３から第１の本体ケース４外へ送風される。
【００２０】
第１の本体ケース４の天面の第１の吹出口３の近傍には、凹形状の凹部４１を備えている。この凹部は、給電部１４を有すると共に、放電生成物発生ユニット１５が着脱自在な構成である。
【００２１】
制御部１６は、第１の本体ケース４の上部に位置し、放電生成物発生ユニット１５と第１の送風手段５と空気調和手段６とを制御するものである。
【００２２】
放電生成物発生ユニット１５は、第２の吸込口１７と第２の吹出口１８とを備えた略箱形状の第２の本体ケース１９と、この第２の本体ケース１９に、第２の送風手段２０と、放電生成物発生手段２１と、受電部２２と、充電池２３とを備えている。
【００２３】
第２の本体ケース１９の天面には、横長四角形状の開口である第２の吹出口１８を設け、第２の本体ケース１９の背面には、第２の吸込口１７を備えている。
【００２４】
第２の送風手段２０と放電生成物発生手段２１とは、第２の本体ケース１９内の第２の吸込口１７から第２の吹出口１８へ連通する風路２４に設けられている。
【００２５】
第２の送風手段２０は、スクロール形状の第２のケーシング部２５と、この第２のケーシング部２５に固定された第２のモータ部２６と、この第２のモータ部２６によって回転する遠心送風型の第２の羽根部２７とから形成している。第２のケーシング部２５は、上方に開口した第２の吐出口２８を有し、第２の本体ケース１９の第２の吸込口１７に対向して第２の吸気口（図示せず）を備えている。
【００２６】
第２の送風手段２０の上流側に放電生成物発生手段を設けている。この放電生成物発生手段２１は、図２、４、５に示すように、放電生成物発生部３０と回路部３１とを備えている。
【００２７】
放電生成物発生部３０は、第２のケーシング部２５の第２の吐出口２８の近傍に位置し、連通路（図示せず）を介して第２のケーシング部２５内と連通している。放電生成物発生部３０は、ケース部３２内に位置し、このケース部３２は第２のケーシング部２５に着脱自在である。放電生成物発生部３０は、放電電極３３と、この放電電極３３に対向して配置された対向電極３４とを有している。この放電電極３３を冷却する冷却部として配置したペルチェ素子３５を備えている。回路部３１は、これらの対向電極３４と放電電極３３間に高電圧（この実施形態では−５ＫＶ）を印加するものである。回路部３１は、ケース部３２の下方に位置している。
【００２８】
ペルチェ素子３５には０．７５Ｖ〜２．８Ｖ程度の電圧を印加するものであり、この実施形態では、放電電極３３側を低温にする。この放電電極３３部分で冷却されることで、結露すると、放電生成物である帯電微粒子水が発生することになる。この帯電微粒子水中のヒドロキシルラジカルが臭いと反応し、それを酸化させることで、臭いを分解することができるのである。
【００２９】
ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。
【００３０】
受電部２２は、第２の本体ケース１９の下面に備えている。この受電部２２は、給電部１４に電気的に接続可能である。具体的には、放電生成物発生ユニット１５を凹部４１に装着した場合に、給電部１４と受電部２２が電気的に接続するものである。
【００３１】
充電池２３は、受電部２２と電気的に接続され、受電部２２から充電可能である。
【００３２】
本実施形態における特徴は、放電生成物発生ユニット１５を凹部４１に装着した場合と、凹部から外した場合との２種類の使用方法ができる点である。具体的には、まず、放電生成物発生ユニット１５を凹部４１に装着した場合には、給電部１４と受電部２２が電気的に接続することによって、第１の送風手段５と放電生成物発生部３０と第２の送風手段２０とが運転可能であると供に、充電池２３へ充電も可能である。次に、放電生成物発生ユニット１５を凹部４１から外した場合には、充電池２３によって、第２の送風手段２０と、放電生成物発生手段２１とが動作し、放電生成物発生ユニット１５のみで運転可能である。つまり、放電生成物発生ユニット１５を凹部４１に装着した場合と、凹部から外した場合との２種類の使用方法ができるものである。
【００３３】
これらの結果により、放電生成物発生ユニット付き空気調和装置の更なる使用感の向上ができるものである。
【００３４】
また、第２の吸込口１７は、第２の本体ケース１９の背面側の側面に位置する。放電生成物発生ユニット１５を凹部４１に装着した場合には、第２の吸込口１７は、凹部４１の外方に位置すると共に、第１の本体ケース４の第１の吹出口３側に開口するものである。
【００３５】
これにより、第１の本体ケース４の第１の吹出口３から吹き出された空気、つまり、通気調和された空気中の粉塵等が捕集された空気が、第２の吸込口１７から放電生成物発生ユニット１５内に吸い込まれて入るので、放電生成物発生部３０の放電電極３３に、粉塵等が付着することを低減できる。
【００３６】
また、凹部４１は、第１の吹出口３の第１の本体ケース４における前面側に位置する。第１の吹出口３から送風される空気は、第１の吹出口３から第１の本体ケース４における前面側へ傾斜して吹き出すものである。
【００３７】
具体的には、第１の本体ケース４の第１の吹出口３には、第１のルーバ部３６を回動自在に備えている。この第１のルーバ部３６は、第１の本体ケース４における前面側の端部が、上下方向に移動するように回動するものである。ここで、この第１のルーバ部３６が、第１の吹出口３から仰角方向に、所定の角度で停止可能な構成である。これにより、第１の吹出口３から送風される空気は、第１の吹出口３から第１の本体ケース４における前面側へ傾斜して吹き出すものである。
【００３８】
これにより、第１の本体ケース４の第１の吹出口３から吹き出された空気、つまり、通気調和された空気中の粉塵等が捕集された空気が、第２の吸込口１７から放電生成物発生ユニット１５内に更に入り易くなるので、放電生成物発生部３０の放電電極３３に、粉塵等が付着することを低減できる。また、第１の本体ケース４の第１の吹出口３から吹き出された空気と、第２の本体ケース１９の第２の吹出口１８から吹き出された空気とが混ざって吹き出るので、放電生成物発生部３０から発生した放電生成物である帯電微粒子水が、より遠くまで送風することが可能となる。
【００３９】
また、放電生成物発生ユニット１５を凹部４１に装着した場合には、制御部１６によって第２の送風手段２０の運転を停止するものである。
【００４０】
すなわち、放電生成物発生ユニット１５を凹部４１から外した場合には、充電池２３によって、第２の送風手段２０と、放電生成物発生手段２１とが動作し、放電生成物発生ユニット１５のみで運転する。一方、放電生成物発生ユニット１５を凹部４１に装着した場合には、制御部１６によって第２の送風手段２０の運転を停止し、放電生成物発生手段２１のみが動作するものである。これにより、放電生成物発生ユニット１５での消費電力を抑制できる。ここで、第１の吹出口３から送風される空気は、第１の吹出口３から第１の本体ケース４における前面側へ傾斜して吹き出すので、放電生成物発生部３０から発生した放電生成物である帯電微粒子水は、第１の本体ケース４の第１の吹出口３から吹き出された空気に誘引され、第２の本体ケース１９の第２の吹出口１８から吹き出る。結果として、第１の本体ケース４の第１の吹出口３から吹き出された空気と、第２の本体ケース１９の第２の吹出口１８から吹き出された空気とが混ざって吹き出るので、放電生成物発生部３０から発生した放電生成物である帯電微粒子水が、より遠くまで送風することが可能となる。
【００４１】
また、受電部２２と給電部１４とは、非接触で電気的に接続可能な構成である。具体的には、受電部２２は、受電側コイル３８を有し、給電部１４は、給電側コイル３９を有する電動誘導方式である。
【００４２】
これにより、受電部２２、および給電部１４での埃の付着を防止できる。
【産業上の利用可能性】
【００４３】
以上のように本発明は、第１の吸込口を設けた略箱形状の第１の本体ケースと、この第１の本体ケースの天面に設けた第１の吹出口と、前記第１の本体ケース内に前記第１の吸込口から前記第１の吹出口へ連通する風路に備えた第１の送風手段と空気調和手段と、前記第１の吹出口の近傍に有する凹形状の凹部と、この凹部内に設けた給電部と、前記凹部に着脱自在に設けた放電生成物発生ユニットと、この放電生成物発生ユニットと前記第１の送風手段と前記空気調和手段とを制御する制御部とからなり、前記放電生成物発生ユニットは、第２の吹出口と第２の吸込口とを設けた略箱形状の第２の本体ケースと、この第２の本体ケース内に前記第２の吸込口から前記第２の吹出口に送風する第２の送風手段と、この第２の送風手段の上流側に備えた放電生成物発生手段と、前記給電部に電気的に接続可能な受電部と、この受電部から充電可能な充電池とからなり、前記放電生成物発生ユニットを前記凹部に装着した場合には、前記給電部と前記受電部が電気的に接続することによって、前記第１の送風手段と前記放電生成物発生部と前記第２の送風手段とが運転可能であると供に、前記充電池へ充電可能で、前記放電生成物発生ユニットを前記凹部から外した場合には、前記充電池によって、前記放電生成物発生ユニットのみで運転可能である構成とし、更なる使用感の向上を目的とするものである。
【００４４】
すなわち、放電生成物発生ユニットを凹部に装着した場合には、給電部と受電部が電気的に接続することによって、第１の送風手段と放電生成物発生部と第２の送風手段とが運転可能であると供に、充電池へ充電可能で、放電生成物発生ユニットを凹部から外した場合には、充電池によって、電生成物発生ユニットのみで運転可能である。つまり、放電生成物発生ユニットを凹部に装着した場合と、凹部から外した場合との２種類の使用方法ができるものである。
【００４５】
これらの結果により、放電生成物発生ユニット付き空気調和装置の更なる使用感の向上ができるものである。
【００４６】
従って、家庭用、事務所用などの、放電生成物発生ユニット付き空気調和装置として活用が期待されるものである。
【符号の説明】
【００４７】
１  放電生成物発生ユニット付き空気調和装置
２  第１の吸込口
３  第１の吹出口
４  第１の本体ケース
５  第１の送風手段
６  空気調和手段
８  風路
９  第１のケーシング部
１０  第１のモータ部
１１  第１の羽根部
１２  第１の吐出口
１３  第１の吸気口
１４  給電部
１５  放電生成物発生ユニット
１６  制御部
１７  第２の吸込口
１８  第２の吹出口
１９  第２の本体ケース
２０  第２の送風手段
２１  放電生成物発生手段
２２  受電部
２３  充電池
２４  風路
２５  第２のケーシング部
２６  第２のモータ部
２７  第２の羽根部
２８  第２の吐出口
３０  放電生成物発生部
３１  回路部
３２  ケース部
３３  放電電極
３４  対向電極
３５  ペルチェ素子
３６  第１のルーバ部
３８  受電側コイル
３９  給電側コイル
４０  空気清浄ユニット
４１  凹部
【図１】
2014190605.tif 000003
【図２】
2014190605.tif 000004
【図３】
2014190605.tif 000005
【図４】
2014190605.tif 000006
【図５】
2014190605.tif 000007
【図６】
2014190605.tif 000008
【図７】
2014190605.tif 000009
【図８】
2014190605.tif 000010
【図９】
2014190605.tif 000011